(57)【特許請求の範囲】
【請求項１】
複数が接合された状態で母屋材に固定される屋根パネルであって、
表面側の金属板と裏面側の金属板との間に芯材が挟まれ、一端側および他端側に、隣接する前記屋根パネルに対する接合端部をそれぞれ有し、
前記一端側の接合端部は、
前記裏面側の金属板が前記芯材の端面から突出して樋状に形成され前記母屋材に固定される固定部と、該固定部の端部に形成された第１の係合部と、前記芯材の表面側の角部を欠損させて形成された段部と、前記表面側の金属板を前記段部の表面側を覆って突出して形成された第２の係合部と、前記段部と前記第２の係合部によって形成された側方に開口する溝部と、を備え、
前記他端側の接合端部は、
少なくとも前記表面側の金属板と前記芯材とからなり前記固定部に重畳する重畳部と、前記裏面側の金属板で形成され前記第１の係合部に係合する第１の被係合部と、前記表面側の金属板で形成され前記溝部に挿入されるとともに前記第２の係合部に係合する第２の被係合部と、を備える
ことを特徴とする屋根パネル。
【請求項２】
前記一端側の接合端部の前記溝部に、前記他端側の接合端部の前記第２の被係合部が当接可能なシール部材が固定されていることを特徴とする請求項１に記載の屋根パネル。
【請求項３】
前記表面側の金属板および前記裏面側の金属板が弾性を有し、
前記第１の係合部に対する前記第１の被係合部の係合、および前記第２の係合部に対する前記第２の被係合部の係合が、弾性的な係合であることを特徴とする請求項１または２に記載の屋根パネル。
【請求項４】
前記固定部が前記母屋材に固定され、かつ、複数の当該パネルが接合された状態で、前記表面側の金属板の露出面が平坦に形成されていることを特徴とする請求項１〜３のいずれかに記載の屋根パネル。
【請求項５】
請求項１〜４のいずれかに記載の複数の屋根パネルを、前記裏面側の金属板を前記屋根固定部材に対向させ、かつ、前記一端側の接合端部に前記他端側の接合端部を接合した状態で、前記屋根固定部材に固定する屋根パネルの固定構造であって、
一の前記屋根パネルにおける前記一端側の接合端部の前記固定部を前記屋根固定部材に対向させて該固定部を該屋根固定部材にねじ部材で固定し、
次いで該固定した一の屋根パネルの前記一端側の接合端部に対し、二の前記屋根パネルの前記他端側の接合端部を、
前記第１の係合部に前記第１の被係合部を係合させ、
前記固定部に前記重畳部を重畳させることで該重畳部により前記ねじ部材を覆い、
前記溝部に前記第２の被係合部を挿入するとともに前記第２の係合部に該第２の被係合部を係合させることによって接合する
ことを特徴とする屋根パネルの固定構造。
【請求項６】
前記固定部に補強部材を嵌合し、該固定部を該補強部材とともに前記屋根固定部材に前記ねじ部材で固定することを特徴とする請求項５に記載の屋根パネルの固定構造。
【請求項７】
前記第２の係合部と前記第２の被係合部との間にコーキング材を介在させることを特徴とする請求項５または６に記載の屋根パネルの固定構造。
【発明の詳細な説明】
【技術分野】
【０００１】
本発明は、複数が接合されて建物の屋根を構成する屋根パネルと、複数の屋根パネルを固定する固定構造に関する。
【背景技術】
【０００２】
工場や倉庫、あるいは住宅等の建物の屋根を施工するにあたり、屋根葺き材として複数の長方形状の屋根パネルを用い、それら屋根パネルを屋根骨組上に横方向に並列して互いに接合しながら屋根パネルを屋根骨組に固定する施工方法が知られている（特許文献１等参照）。このような方法は屋根を簡易に施工することができ、コスト削減や施工期間の短縮化が図られる。屋根パネルとしては、木製板、金属板、ＰＣ板等が挙げられるが、この他には、２枚の薄い（例えば厚さ０．３５ｍｍ）金属板の間に板状の断熱材を挟んだ金属サンドイッチパネルは、軽量でありながら高い強度、耐久性および断熱性を有しているため、採用が広まっている。
【先行技術文献】
【特許文献】
【０００３】
【特許文献１】特開２０１１−１８８７９２号公報
【発明の概要】
【発明が解決しようとする課題】
【０００４】
上記のような屋根パネルの施工において屋根パネルを屋根骨組に固定するには、屋根パネルの表面側から屋根パネルに貫通させたビス等のねじ部材を、屋根骨組を構成する母屋材等にねじ込んで締結する構造がある（上記特許文献１参照）。しかし、このように屋根パネルをビス止めした場合には、ビスの頭部が屋根パネルの表面に露出するため、外観の点で見劣りするといった問題がある。また、ビスの貫通孔から水が浸入して漏水を招いたりビスの周囲に塵埃が溜まったりする不具合も生じやすい。さらに、屋根パネルの変形等によってビスの頭部と屋根パネルの表面との間に隙間が生じると、冬季においてはその隙間に入り込んだ水が凍結することでビスが抜ける方向に動き、結果として屋根パネルの固定が不十分になる現象も生じる。このため寒冷地には不向きな固定構造であった。
【０００５】
本発明は上記事情に鑑みてなされたものであって、固定用のねじ部材が見えない外観を得ることができるとともに、十分な固定強度および漏水防止性を長期にわたって得ることができる屋根パネルおよびその固定構造を提供することを目的としている。
【課題を解決するための手段】
【０００６】
本発明の屋根パネルは、複数が接合された状態で母屋材に固定される屋根パネルであって、表面側の金属板と裏面側の金属板との間に芯材が挟まれ、一端側および他端側に、隣接する前記屋根パネルに対する接合端部をそれぞれ有し、前記一端側の接合端部は、前記裏面側の金属板が前記芯材の端面から突出して樋状に形成され前記母屋材に固定される固定部と、該固定部の端部に形成された第１の係合部と、前記芯材の表面側の角部を欠損させて形成された段部と、前記表面側の金属板を前記段部の表面側を覆って突出して形成された第２の係合部と、前記段部と前記第２の係合部によって形成された側方に開口する溝部と、を備え、前記他端側の接合端部は、少なくとも前記表面側の金属板と前記芯材とからなり前記固定部に重畳する重畳部と、前記裏面側の金属板で形成され前記第１の係合部に係合する第１の被係合部と、前記表面側の金属板で形成され前記溝部に挿入されるとともに前記第２の係合部に係合する第２の被係合部と、を備えることを特徴とする。
【０００７】
また、本発明の屋根パネルの固定構造は、複数の上記本発明の屋根パネルを、前記裏面側の金属板を前記母屋材に対向させ、かつ、前記一端側の接合端部に前記他端側の接合端部を接合した状態で、前記母屋材に固定する屋根パネルの固定構造であって、一の前記屋根パネルにおける前記一端側の接合端部の前記固定部を前記母屋材に対向させて該固定部を該母屋材にねじ部材で固定し、次いで該固定した一の屋根パネルの前記一端側の接合端部に対し、二の前記屋根パネルの前記他端側の接合端部を、前記第１の係合部に前記第１の被係合部を係合させ、前記固定部に前記重畳部を重畳させることで該重畳部により前記ねじ部材を覆い、前記溝部に前記第２の被係合部を挿入するとともに前記第２の係合部に該第２の被係合部を係合させることによって接合することを特徴とする。
【０００８】
本発明の屋根パネルおよび屋根パネルの固定構造によれば、屋根パネル（一の屋根パネル）の一端側の接合端部の固定部をねじ部材によって母屋材に固定することで、屋根パネルが母屋材に固定される。そして、固定した屋根パネルに並列して接合させる屋根パネル（二の屋根パネル）の他端側の接合端部を、固定した屋根パネルの一端側の接合端部に接合し、その屋根パネルを同様に固定することを繰り返して、屋根が施工される。なお、本発明でのねじ部材は、雄ねじ、ビス、ボルト等の締結部材であり、固定部を貫通して母屋材にねじ込まれることにより固定部が母屋材に固定される部材を言う。本発明の屋根パネルは、例えば長方形状に形成され、長手方向に沿った端部の一方が一端側の接合端部、他方側が他端側の接合端部とされ、長手方向を傾斜させて屋根が施工される。
【０００９】
上記のように並列して固定された複数の屋根パネルの互いの接合端部においては、第１の係合部に第１の被係合部が係合し、溝部に第２の被係合部が挿入されるとともに第２の係合部に第２の被係合部が係合して、接合状態が保持される。そして、一端側の固定部を母屋材に固定しているねじ部材は、他端側の接合端部の重畳部で覆われる。ねじ部材は、他端側の接合端部の重畳部で覆われることにより屋根パネルの表面に露出せず、ねじ部材が見えない外観を得ることができる。また、ねじ部材が屋根パネルの表面に露出しないことにより上記した凍結の問題は起こらず、十分な固定強度を長期にわたって得ることができる。降雨または降雪等により屋根パネルの表面に水が付着した場合、その水は表面側の金属板上を流れて軒下から落下する他に、互いの接合端部間に浸入するものがある。互いの接合端部内に浸入した水は、一端側の接合端部の樋状の固定部で受けられ、この固定部を流れて排出させることができ、漏水を防ぐことができる。
【００１０】
本発明の屋根パネルは、前記一端側の接合端部の前記溝部に、前記他端側の接合端部の前記第２の被係合部が当接可能なシール部材が固定されている形態を含む。この形態によれば、屋根パネルの表面から接合端部間に浸入した水はシール部材によってそれ以上の浸入が抑えられる。上記した一端側の接合端部における樋状の固定部によって水を排出する漏水防止策と合わせて二重の漏水防止構造が得られる。
【００１１】
また、本発明の屋根パネルは、前記表面側の金属板および前記裏面側の金属板が弾性を有し、前記第１の係合部に対する前記第１の被係合部の係合、および前記第２の係合部に対する前記第２の被係合部の係合が、弾性的な係合である形態を含む。この形態によれば、各係合部に対する各被係合部の係合を弾性変形を伴わせて行うことができるため、屋根パネルの接合を容易、かつ確実に行うことができる。また、地震等によって屋根パネルが動いても、金属板が弾性変形することにより破損等の不具合の発生が抑えられるとともに、接合状態が保持される。
【００１２】
また、本発明の屋根パネルは、前記固定部が前記母屋材に固定され、かつ、複数の当該パネルが接合された状態で、前記表面側の金属板の露出面が平坦に形成されている形態を含む。この形態では、降雪時において雪が滑り落ちやすく、雪が積もりにくい。
【００１３】
また、本発明の屋根パネルの固定構造は、前記固定部に補強部材を嵌合し、該固定部を該補強部材とともに前記母屋材に前記ねじ部材で固定する形態を含む。補強部材を固定部に嵌合することにより裏面側の金属板が薄くても固定強度を十分に確保することができる。
【００１４】
また、本発明の屋根パネルの固定構造は、前記第２の係合部と前記第２の被係合部との間にコーキング材を介在させる形態を含む。この形態によれば、屋根パネルの表面から接合端部間に浸入した水はコーキング材によってそれ以上の浸入が抑えられる。上記した一端側の接合端部における樋状の固定部によって水を排出する漏水防止策と合わせて二重の漏水防止構造となる。また、上記したシール部材を備えた屋根パネルを用いると、三重の高気密な漏水防止構造が得られる。
【発明の効果】
【００１５】
本発明によれば、固定用のねじ部材が見えない外観を得ることができるとともに、十分な固定強度および漏水防止性を長期にわたって得ることができる屋根パネルおよびその固定構造が提供されるといった効果を奏する。
【図面の簡単な説明】
【００１６】
【図１】本発明の一実施形態に係る屋根パネルを複数接合した屋根構造を示す斜視図である。
【図２】同屋根構造の別方向斜視図である。
【図３】同屋根構造のさらに別方向斜視図である。
【図４】一実施形態の屋根パネルの固定構造を示す断面図である。
【図５】屋根パネルの一端側および他端側の接合端部を分離した状態の断面図である。
【図６】屋根パネルを固定する際に補強部材として用いる吊子の（ａ）平面図、（ｂ）断面図である。
【発明を実施するための形態】
【００１７】
以下、図面を参照して本発明の一実施形態を説明する。
図１〜図３は、本発明の一実施形態に係る長方形状の屋根パネル１を接合して屋根を構成している状態をそれぞれ示し、図４は屋根パネル１の接合部分および固定構造の断面を示している。屋根パネル１は、屋根骨組を構成する母屋材２上に設置され、図４で左側の屋根パネル１の一端側（右側）の接合端部１Ａがビス（ねじ部材）３によって母屋材２に固定される。そして右側の屋根パネル１の他端側（左側）の接合端部１Ｂが、一端側の接合端部１Ａに接合され、固定状態が保持される。屋根は、このように屋根パネル１の一端側の接合端部１Ａをビス３で固定し、その固定した屋根パネル１の一端側の接合端部１Ａに他端側の接合端部１Ｂを接合していくことを繰り返し、所定枚数を設置することで施工される。
【００１８】
この場合、屋根は所定角度に傾斜し、屋根パネル１は縦方向（長手方向）を図１の矢印Ｓで示す傾斜方向と平行に配して施工される。一端側および他端側の接合端部１Ａ，１Ｂは縦方向に沿っている。母屋材２は図１の矢印Ｔで示す桁行方向に沿って水平に延び、図示せぬ垂木上に、傾斜方向に間隔をおいて複数設けられている。母屋材２は、木材、あるいは金属製のチャンネル等が用いられるが、図示例では木製であり、ビス３は木製の母屋材２に対応したものが用いられる。母屋材２が金属製である場合、ビス３はそれに対応したタイプのものが用いられる。以下、屋根パネル１の構成ならびに屋根パネル１の固定構造について説明する。
【００１９】
[１]屋根パネル
図４に示すように、屋根パネル１は、２枚の金属板１０，２０の間に板状の断熱材からなる芯材３０を挟んだ断熱機能に優れる金属サンドイッチパネルである。金属板１０，２０は芯材３０に接触する大部分は互いに平行であり、接合端部の断面形状が異なる。金属板１０は上側に配されて屋根の表面を構成し、金属板２０は下側に配されて母屋材２に固定される裏面を構成する。
【００２０】
金属板１０，２０の材質は限定されないが、鋼板が好適であり、例えば、溶融５５％アルミニウム−亜鉛合金メッキ鋼板（ガルバリウム鋼板（登録商標））や亜鉛−アルミニウム６％−マグネシウム３％メッキ鋼板（ＺＡＭ：登録商標）、あるいはカラー鋼板等が用いられる。金属板１０，２０は弾性変形可能な厚さ（例えば０．３５ｍｍ程度）を有している。また、芯材３０は、例えばポリスチレン等の軽量樹脂発泡材が用いられるが、これも材質は限定されない。芯材３０の厚さは、例えば２５〜１００ｍｍとされる。屋根パネル１の全体寸法は任意であって施工する屋根に対応したものとされるが、例えば縦方向長さ：１８００〜１３０００ｍｍ、幅：４００〜１２００ｍｍ、厚さ：２５〜１００ｍｍ程度のものが挙げられる。
【００２１】
[１−１]一端側の接合端部
屋根パネル１の一端側の接合端部１Ａについて説明する。図５の左側に示すように、芯材３０の端部に、表面側（図５で上側）の角部が欠損されて段部３１０が形成されるとともに、裏面側（図５で下側）には側方に突出する突出部３２０が形成されている。
【００２２】
裏面側の金属板２０の端部には、芯材３０の突出部３２０の端面３２１から所定長さ側方に突出した平坦部２１０が形成され、この平坦部２１０の先には表面側に直角に屈曲してリブ部２２０が形成され、さらにこのリブ部２２０から側方に直角に屈曲してから断面長方形状に膨らみを持ちつつループ状に折り曲げられた第１の係合部２３０が形成されている。金属板２０の平坦部２１０とリブ部２２０とにより、樋状の固定部２００が形成されている。この固定部２００の平坦部２１０には、ビス３が挿通される複数のビス挿通孔２１１が長手方向（図５で紙面表裏方向）に間隔をおいて形成されている。ビス挿通孔２１１間のピッチは傾斜方向に配された複数の母屋材２間のピッチに対応している。
【００２３】
表面側の金属板１０の端部には、芯材３０の段部３１０の表面側を覆って突出してから断面平行四辺形状に膨らみを持ちつつ１８０°折り曲げられた第２の係合部１１０が形成されている。金属板１０は、さらに第２の係合部１１０から段部３１０に沿って屈曲形成され、芯材３０の突出部３２０の端面３２１の途中まで覆っている。また、金属板１０には、第２の係合部１１０と段部３１０に沿った屈曲部分とにより、側方に開口する溝部１２０が形成されている。
【００２４】
溝部１２０内には、全長にわたってシール部材１９０が固着されている。シール部材１９０は、例えばＥＰＤＭ（エチレン−プロピレン−ジエンゴム）等の弾性を有する密閉材が好適に用いられる。第２の係合部１１０は、側方に向かうにしたがって次第に内側に傾斜する互いに平行な外側傾斜面１１１と内側傾斜面１１２とを有している。
【００２５】
[１−２]他端側の接合端部
次に、屋根パネル１の他端側の接合端部１Ｂについて説明する。図５の右側に示すように、芯材３０の他端側の端部には、裏面側の角部が欠損されて段部３５０が形成されている。そして接合端部１Ｂの表面側には、側方に突出する重畳部４０が形成されている。重畳部４０は、表面側および裏面側の金属板１０，２０と芯材３０とから構成されている。
【００２６】
裏面側の金属板２０の端部には、芯材３０の裏面に沿って側方に突出してから断面長方形状に膨らみを持ちつつ１８０°折り曲げられた第１の被係合部２５０が形成されている。裏面側の金属板２０は第１の被係合部２５０から連続して段部３５０に沿って折り曲げられ、段部３５０の下面に沿って先端付近まで延びている。第１の被係合部２５０は上記第１の係合部２３０に係合される。
【００２７】
表面側の金属板１０の端部には、重畳部４０からさらに側方に突出して上記第２の係合部１１０に係合する第２の被係合部１５０が形成されている。第２の被係合部１５０は、重畳部４０の芯材３０の端面側に折り曲げられてから側方に延び、先端に断面三角形状の膨らみ部１５１を有している。第２の被係合部１５０の根元部分には、上記第２の係合部１１０の外側傾斜面１１１に当接する凸条１５２が形成されており、また、この凸条１５２と膨らみ部１５１間に、上記第２の係合部１１０が嵌り込んで係合する表面側に開口する溝部１５３が形成されている。
【００２８】
[２]屋根パネルの固定構造
次いで、上記一端側および他端側の接合端部１Ａ，１Ｂを有する複数の屋根パネル１を葺いて屋根を施工する手順ならびに得られる屋根パネル１の固定構造を説明する。
【００２９】
屋根パネル１（一の屋根パネル）を、裏面側の金属板２０を下側に配し、かつ縦方向を屋根の傾斜方向に沿った状態として、複数の母屋材２上の所定箇所に設置する。裏面側の金属板２０は母屋材２の上面に接触する。また、固定部２００の平坦部２１０に形成されたビス挿通孔２１１は、母屋材２間のピッチに対応する箇所に形成されており、ビス挿通孔２１１を母屋材２に合致させる。なお、ビス挿通孔２１１は母屋材２間のピッチに合わせて現場で形成してもよい。
【００３０】
次に、裏面側の金属板２０をビス３で母屋材２に固定するが、固定にあたっては樋状の固定部２００に吊子（補強部材）４をセットし、この吊子４とともに金属板２０を母屋材２に固定する。
【００３１】
吊子４は、図６に示すように、長方形状の板材を、樋状の固定部２００に表面側から嵌合可能なように断面略ハット状に折り曲げ加工して形成されたもので、中央にビス挿通孔４１１が形成され平坦部２１０上に載置されるベース部４１を有している。図４および図６に示すように、ベース部４１の両側に側壁部４２，４４が直角にそれぞれ立ち上がって形成され、一方（図６で左側）の側壁部４２の上端からは表面側の金属板１０の先端部上に接触する第１の羽根部４３が斜め上方に延び、他方（図６で右側）の側壁部４４の上端からは裏面側の金属板２０の第１の係合部２３０上に接触する第２の羽根部４５が延びている。吊子４は、例えば亜鉛メッキ鋼板等からなる厚さが例えば０．５〜３．５ｍｍ程度の剛性を有する板材を加工して形成される。
【００３２】
吊子４のベース部４１の裏面のほぼ全面には、例えばブチルゴム等からなる気密シール４９が接着されている。気密シール４９の外面は接着剤が付着されており、接着剤は剥離紙でカバーされている。
【００３３】
さて、裏面側の金属板２０を母屋材２に固定するには、まず気密シール４９の上記剥離紙を剥がし、気密シール４９の接着面を平坦部２１０の表面に接着させることで、図４に示すように吊子４を固定部２００に嵌合する。このとき、吊子４のビス挿通孔４１１を金属板２０の平坦部２１０のビス挿通孔２１１に合致させる。そしてビス３をそれらビス挿通孔４１１，２１１に通し、さらに気密シール４９を貫通させて母屋材２に締め込む。この作業を複数の母屋材２上で行い、１枚の屋根パネル１を複数の母屋材２上に固定する。
【００３４】
なお、ビス３には、頭部の裏面側に止水用のパッキンを装着しておき、頭部と平坦部２１０との間にそのパッキンが挟まれて圧着されるように構成すると、止水性向上の点で好ましい。また、気密シール４９は、金属板２０の平坦部２１０に接着させるための接着剤が予め付着されていないものであってもよく、さらには、予め吊子４に接着されていないものであってもよい。すなわち、接着剤の有無にかかわらず、気密シール４９は、施工後において吊子４のベース部４１と金属板２０の平坦部２１０との間に圧着状態で挟まれる構造となる。
【００３５】
続いて、母屋材２に固定した屋根パネル１に並列して接合させる次の屋根パネル１（二の屋根パネル）の他端側の接合端部１Ｂを、固定した屋根パネル１の一端側の接合端部１Ａに対し次のようにして接合する。
【００３６】
はじめに、接合する側の屋根パネル１の、第２の被係合部１５０の溝部１５３にコーキング材５を充填する。そして、図４に示すように、裏面側においては、第１の係合部２３０の下方に第１の被係合部２５０を係合させ、表面側においては、溝部１２０に第２の被係合部１５０の膨らみ部１５１を挿入するとともに第２の係合部１１０を第２の被係合部１５０の溝部１５３に嵌め込んで、第２の係合部１１０に第２の被係合部１５０を係合させる。この作業を繰り返し行うことで、複数の屋根パネル１を順次母屋材２に固定し、屋根を施工する。
【００３７】
このように固定された隣接する屋根パネル１の固定構造においては、一端側の接合端部１Ａにおける裏面側の金属板２０の固定部２００上に、他端側の接合端部１Ｂの重畳部４０が重畳し、重畳部４０によりビス３の頭部が覆われる。他端側の接合端部１Ｂの第１の被係合部２５０は、一端側の接合端部１Ａの第１の被係合部２５０の下方に弾性的に係合する。また、他端側の接合端部１Ｂの第２の被係合部１５０は、一端側の接合端部１Ａに対し、第２の係合部１１０の下側に入り込むが、その際、第２の係合部１１０および第２の被係合部１５０は互いに弾性変形して係合する。
【００３８】
このように接合した状態で、並列して固定された複数の屋根パネル１の互いの接合端部１Ａ，１Ｂにおいては、第１の係合部２３０に第１の被係合部２５０が係合し、第２の係合部１１０に第２の被係合部１５０が係合して、接合状態が保持される。裏面側においては金属板２０間に僅かな隙間が形成される。また、第２の被係合部１５０の膨らみ部１５１の先端はシール部材１９０に圧着する状態で気密的に当接する。さらに、表面側においては凸条１５２が外側傾斜面１１１に当接することで隣接する金属板１０間に隙間は空かず、第２の係合部１１０と第２の被係合部１５０との間にコーキング材５が介在し、このコーキング材５によって隙間がシールされる。
【００３９】
[３]一実施形態の効果
上記一実施形態の屋根パネル１および固定構造によれば、以下の効果が奏される。
【００４０】
[３−１]ビスが見えない外観について
屋根パネル１を母屋材２に固定しているビス３の頭部は吊子４の表面側に出ているものの、屋根パネル１を接合することでビス３の頭部は他端側の接合端部１Ｂの重畳部４０で覆われる。また、表面側の隣接する金属板１０どうしが当接している。これらのことからビス３の頭部は屋根パネル１の表面に露出しない。すなわち、ビス３が屋根の表面には見えない外観を得ることができる。また、ビス３は表面側の金属板１０を貫通しないため、表面側の金属板１０の貫通孔から水が浸入して漏水を招いたりビスの周囲に塵埃が溜まったりする不具合は生じない。
【００４１】
[３−２]止水性向上による漏水防止について
降雨または降雪等により屋根パネル１の表面（金属板１０の表面）に水が付着した場合、その水は金属板１０の表面を流れて軒下から落下し排水される。金属板１０の表面は平坦であるため排水性は高い。第２の係合部１１０の外側傾斜面１１１と第２の被係合部１５０の凸条１５２は当接しているが、これらの間に水が入り込んだ場合にはコーキング材５によってそれ以上の内側への浸入が抑えられる。
【００４２】
また、このコーキング材５によっても水の浸入が抑えられなかった場合には、シール部材１９０によってそれ以上の浸入が抑えられる。ここまででコーキング材５とシール部材１９０とによる二重の漏水防止構造が得られている。また、例えば屋根パネル１どうしの接合状態が弛んでシール部材１９０と膨らみ部１５１との間に隙間が生じると、その隙間から水がさらに内側に浸入するおそれがあるが、その場合には、裏面側の金属板２０の樋状の固定部２００で水が受けられ、軒先方向に向かって水が固定部２００に沿って落下し排水される。吊子４と平坦部２１０にはビス挿通孔４１１，２１１が形成されているが、水がそれらビス挿通孔４１１，２１１を通ったとしても気密シール４９によってそれ以上の浸入が防止される。樋状の固定部２００で水を受けて排水する構造を設けることで、コーキング材５、シール部材１９０と合わせて三重の高気密な漏水防止構造が得られる。
【００４３】
[３−３]固定強度について
ビス３の頭部が表面側の金属板１０に露出していると、前述したように冬季においてビス３の頭部と屋根パネル１の表面との間に生じた隙間に入り込んだ水が凍結し、固定強度が不十分になるおそれがある。しかし本実施形態はビス３が接合部に内蔵され、表面には露出していないため凍結の問題は起こらず、十分な固定強度を長期にわたって得ることができる。したがって寒冷地に適用して問題ない構造である。
【００４４】
また、裏面側の金属板２０の固定部２００に補強部材として吊子４を嵌合して吊子４と金属板２０を重ねた状態でビス３により母屋材２に固定している。このため金属板２０が薄くても固定強度を十分に確保することができる。また、このように固定強度を確保できることにより、例えば強い風圧を受けてもビス３の抜けや金属板２０の変形が抑えられ、止水性が損なわれることが抑えられる。
【００４５】
[３−４]容易な接合、接合状態の保持について
屋根パネル１の表面側の金属板１０および裏面側の金属板２０は弾性を有し、第１の係合部２３０に対して第１の被係合部２５０が弾性的に係合し、第２の係合部１１０に対して第２の被係合部１５０が弾性的に係合している。このため、屋根パネル１の接合を容易、かつ確実に行うことができる。また、地震等によって屋根パネル１が動いても、金属板１０，２０が弾性変形することにより破損等の不具合の発生が抑えられるとともに、接合状態が保持される。さらに、熱変化を受けて金属板１０，２０が膨張したり収縮したりした場合、それらの熱変形が弾性変形によって許容され、接合が保持される。
【００４６】
[３−５]雪害抑制について
接合された屋根パネル１の表面側の金属板１０は露出面が平坦であり、したがって屋根パネル全体の表面が平坦となるこのため、降雪時において雪が滑り落ちやすく、雪が積もりにくい。
【産業上の利用可能性】
【００４７】
本発明は、工場、倉庫、住宅等の建物の屋根葺き材として用いられる屋根パネルおよび複数の屋根パネルを固定する固定構造として好適に用いられる。
【符号の説明】
【００４８】
１…屋根パネル
１Ａ…一端側の接合端部
１Ｂ…他端側の接合端部
２…母屋材
３…ビス（ねじ部材）
４…吊子（補強部材）
５…コーキング材
１０…表面側の金属板
１１０…第２の係合部
１２０…溝部
１５０…第２の被係合部
１９０…シール部材
２０…裏面側の金属板
２００…固定部
２３０…第１の係合部
２５０…第１の被係合部
３０…芯材
３１０…段部
３２１…芯材の端面
４０…重畳部
【図１】
0006586307.tif 000002
【図２】
0006586307.tif 000003
【図３】
0006586307.tif 000004
【図４】
0006586307.tif 000005
【図５】
0006586307.tif 000006
【図６】
0006586307.tif 000007